(57)【特許請求の範囲】
【請求項１】
突合わせ柱を含む上部ハウジングと、
導電膜と、
底面と、前記底面に配置されるアクチュエータとを含むキートップであって、前記アクチュエータは、前記上部ハウジングを貫通する前記キートップと、
下部ハウジングと、
前記導電膜に位置する軟質弾性要素であって、前記軟質弾性要素は、前記キートップが跳ね返るときに、前記キートップが前記軟質弾性要素から分離しないように、前記キートップに係合する係合部を有する前記軟質弾性要素と、
を備え、
前記キートップは、前記底面に配置される第一突起と、側部と、前記側部から延ばす外側部と、を更に含み、
前記キートップは、更に第二突起を有し、前記第二突起は、係合面を有し、
前記上部ハウジングは、停止面を有する停止部を有し、
前記係合面と前記係合面に対向する前記停止面との間には、距離があり、
前記軟質弾性要素は、前記キートップが跳ね返るときに、前記距離がゼロより大きくなるように、前記アクチュエータを保持することを特徴とするキーボード装置。
【請求項２】
前記突合わせ柱は、頂部を前記停止部として有し、
前記停止部が、前記キートップが跳ね返るときに前記キートップに当たらず、
前記アクチュエータは、前記突合わせ柱を貫通する中央柱であり、
前記キーボード装置は、従来のキーボード及び薄いキーボードのうちの一つであり、前記底面は、凹部を含み、前記凹部には、前記中央柱が位置することを特徴とする請求項１に記載のキーボード装置。
【請求項３】
前記軟質弾性要素は、シリコーンゴムドームとゴム半球のうちの一つであり、
前記係合部は、凹状の円柱であり、テーパ面を有する開口部を更に含み、
前記凹状の円柱は、前記中央柱を保持するための中央凹部を有し、
前記開口部の断面積は、前記中央柱の前記中央凹部への挿入を容易にするように、前記テーパ面に沿って減少することを特徴とする請求項２に記載のキーボード装置。
【請求項４】
前記第二突起は、前記キートップが跳ね返るときに前記頂部と係合することができない係合部を有し、
前記キートップが押圧されるときに、前記第一突起に付勢し、前記底面が前記頂部に対して衝突しないように、前記導電膜に位置する第一底部パッドを更に備え、
前記第一底部パッドは、シリコーンパッドとエチレン酢酸ビニル（ＥＶＡ）パッドのうちの一つであり、
前記第一底部パッドは、前記軟質弾性要素から分離された状態、及び、前記軟質弾性要素と一体化された状態のうちの一つに提供されることを特徴とする請求項２に記載のキーボード装置。
【請求項５】
前記底面と前記頂部との間のクッションとして機能するように、前記突合わせ柱に位置する第二底部パッドを更に備えることを特徴とする請求項２に記載のキーボード装置。
【請求項６】
突合わせ柱を含む上部ハウジングと、
作動圧力に応じて前記上部ハウジングに対して垂直方向に移動するキートップと、
下部ハウジングと、
下部ハウジングに配置され、前記作動圧力を受け、前記作動圧力が解放された後に前記キートップが跳ね返るときに前記キートップを前記垂直方向に前記上部ハウジングと衝突させないように保持する弾性体と、
を備え、
前記キートップは、底面と、前記底面に配置される第一突起と、側部と、前記側部から延ばす外側部と、を更に含み、
前記キートップは、更に第二突起を有し、前記第二突起は、係合面を有し、
前記上部ハウジングは、停止面を有する停止部を有し、
前記係合面と前記係合面に対向する前記停止面との間には、距離があり、
前記弾性体は、前記キートップが跳ね返るときに、前記距離がゼロより大きくなるように、前記キートップを保持することを特徴とするキーボード装置。
【請求項７】
前記キートップは、前記底面に配置されるアクチュエータを備え、
前記アクチュエータは、凹状の円柱であり、
第一底部パッドと導電膜とを更に備え、
前記第一底部パッドは、前記キートップが押下されるときに前記第一突起に付勢するように、前記導電膜に位置することを特徴とする請求項６に記載のキーボード装置。
【請求項８】
導電膜を更に備え、
前記キートップは、前記底面に配置されるアクチュエータを備え、
前記アクチュエータは、前記上部ハウジング内に垂直移動し、前記垂直方向の前記作動圧力を発生させる凹状の円柱であり、
前記弾性体は、半球と、前記半球の頂部に接続される中央柱とを含み、
前記凹状の円柱は、前記中央柱を保持するための中央凹部を有することを特徴とする請求項６に記載のキーボード装置。
【請求項９】
上部ハウジングと下部ハウジングとを有するキーボード装置であって、
前記キーボード装置内に垂直に摺動可能に配置されるキートップと、
前記キートップが外力から除去された後に前記キートップが跳ね返るときに、前記キートップを前記上部ハウジング及び前記下部ハウジングのいずれかに接触させないように保持する弾性体と、
を備え、
前記上部ハウジングは、突合わせ柱を更に含み、
前記キートップは、底面と、前記底面に配置される第一突起と、側部と、前記側部から延ばす側部外側部と、を更に含み、
前記キートップは、更に第二突起を有し、前記第二突起は、係合面を有し、
前記上部ハウジングは、停止面を有する停止部を有し、
前記係合面と前記係合面に対向する前記停止面との間には、距離があり、
前記弾性体は、前記キートップが跳ね返るときに、前記距離がゼロより大きくなるように、前記キートップを保持することを特徴とするキーボード装置。
【請求項１０】
前記キートップは、前記弾性体により保持される中央柱を有し、
前記弾性体は、保持構造と、弾性構造とを含み、
前記保持構造及び前記中央柱は、どの程度の距離がゼロよりも大きいかを決定するために使用される係合を有することを特徴とする請求項９に記載のキーボード装置。
【請求項１１】
前記弾性体は、シリコーンゴムドームとゴム半球のうちの一つの構造であり、
前記キーボード装置は、コンピュータキーボードと電話キーボードのうちの一つであることを特徴とする請求項９に記載のキーボード装置。
【発明の詳細な説明】
【技術分野】
【０００１】
関連出願と優先権主張の相互参照
本出願は、２０１５年９月８日に出願された第104129737号及び２０１５年１１月３日に出願された第104136230号の台湾出願に基づく利益を主張し、その内容は参考として本明細書に取り入れるものとする。
［技術分野］
【０００２】
本発明は、シリコーンゴムドームを用いて二つの膜を伝導するキーボード装置に関し、特に、シリコーンゴムドームの上部を用いてキートップを保持するサイレントキーボード装置に関する。
【背景技術】
【０００３】
コンピュータに使用される一般的なキーボードは、キーが軽く打たれたときに常に音を出すが、これらの音は常に静かなものを必要とするユーザーを悩ませる。また、昼休みにオフィスでキーボードを使用する人がいれば、休憩を取っている人にはこの音が邪魔になることがある。図１を参照してください。図１は、従来のキーボード構造の断面図である。キーボード１０は、キートップ１１と、突合わせ柱１２（クレーターとも呼ばれる）と、中央柱１３と、突合わせ柱１２内にバランス良く移動する二つの突起１４と、左右の側部１５ （すなわち、１．４ｍｍの規則的な高さ/厚さ（ＤＰ）を有する止め具）と、底部部分１７と、導電膜１７１と、シリコーンゴムドーム１８と、二つの外側部分１９と、を含む。外側部分１９は、２ｍｍの埋め込み深さ（ＥＤ）でキーボード１０のキーボード面１０１の下に埋め込まれている。中央柱１３の周りにあるシリコーンゴムドーム１８の二つの周囲部分１８１の各々は、０．８ｍｍの高さ（ＨＴ）を有する。
【０００４】
既存のキーボード１０がノイズを発生させる理由は、図１から理解できる。通常、キートップ１１が押下されるときに、側部１５が頂部１６の付勢面１６１に突き当たり、突起１４が底部１７に当たったことによる音にすぎない（もちろん、中央柱１３がシリコーンゴムドーム１８を押して導電膜１７１に当て、突起１４が底部１７に当たらなくなり、底部１７に当たることによるクリック音が発生しない）。キートップ１１の中央柱１３がシリコーンゴムドーム１８により跳ね返った後に、頂部１６の停止面１６２に突き当たる突起１４（停止面１６２が突起１４の外れ及び落下を防止する）に起因する音は、すなわち、キーボード１０のキーを押下すると、キートップ１１が底部１７（以下、「部位Ａ」と略記する）、付勢面１６１（以下、「部位Ｂ」と略記する）及び停止面１６２（以下、「部位Ｃ」と略記する）に当たる音である。
【０００５】
従って、本発明の目的は、キーボードのキーを押下するときに、部位Ａ、ＢとＣで発生するクリック音という問題を解決することである。本発明の発明者は、実験、試験及び研究に努め、最終的に、キーを押す時の部位Ａ、ＢとＣで発生するクリック音を効果的に消すだけでなく、より流暢な入力を行うキーボード装置を発明した。
【発明の開示】
【発明が解決しようとする課題】
【０００６】
換言すれば、本発明が解決しようとする課題は、キーボードを使用する際に、部位Ａ、ＢとＣで発生するクリック音をどうやって消そうとしているかである。以下、本発明の概要を説明する。
【課題を解決するための手段】
【０００７】
本発明には、キーボード装置が開示されている。前記キーボード装置は、上部ハウジングと、導電膜と、キートップであって、底面と、前記底面に配置されるアクチュエータと、を含み、前記アクチュエータは、前記上部ハウジングを貫通する前記キートップと、下部ハウジングと、前記導電膜に位置する軟質弾性要素であって、前記軟質弾性要素は、前記キートップが跳ね返るときに、前記キートップが前記軟質弾性部材から分離しないように、前記キートップに係合する係合部を有する前記軟質弾性要素と、を備える。
【０００８】
主な技術の別の観点から見れば、本発明のキーボード装置は、上部ハウジングと、作動圧力に応じて前記上部ハウジングに対して垂直方向に移動するキートップと、下部ハウジングと、下部ハウジングに配置され、前記作動圧力を受け、前記作動圧力が解放された後に前記キートップが跳ね返るときに前記キートップを前記垂直方向に前記上部ハウジングと衝突させないように保持する弾性体と、を備える。
【０００９】
さらに別の観点によれば、本発明のキーボード装置は、上部ハウジングと下部ハウジングとを有する。前記キーボード装置は、前記キーボード装置内に垂直に摺動可能に配置されるキートップと、前記キートップが外力から除去された後に前記キートップが跳ね返るときに、前記キートップを前記上部ハウジング及び前記下部ハウジングのいずれかに接触させないように保持する弾性体と、を備える。
【図面の簡単な説明】
【００１０】
当業者は、添付の図面及び以下の詳細な説明を検討した後、本発明の目的及び利点は、より容易に明らかにする。
【図１】従来のキーボード構造の断面図である。
【図２】本発明の好ましい実施形態に係るキーボード装置の断面図である。
【図３】図２に示す上部の上面図である。
【図４】本発明のキーボード装置のキートップの埋め込み深さの断面図である。
【図５】本発明の別の実施形態に係る、従来のキーボードに適用されているキーボード装置の断面図である。
【図６Ａ】本発明の好ましい実施形態に係るキーボード装置が第一底部パッドを使用して突起に付勢することを示す断面図である。
【図６Ｂ】本発明の好ましい実施形態に係るキーボード装置が第二底部パッドを使用して側部に付勢することを示す断面図である。
【図７】底部パッドがシリコーンゴムドームから独立していることを示す概略図である。
【図８】底部パッドがシリコーンゴムドームと一体化していることを示す概略図である。
【図９Ａ】本発明の別の好ましい実施形態に係るキーボード装置の断面図である。
【図９Ｂ】図９Ａに示す拡大した弾性体の断面図である。
【図１０】図９Ａに示す導電膜に配置される第一底部パッドを示す断面図である。
【発明を実施するための形態】
【００１１】
以下のように、本発明を実施例に基づいて詳述するが、あくまでも例示であって、本発明の範囲はこれらの実施形態に限定されない。本発明の範囲は、特許請求の範囲に記載されており、さらに特許請求の範囲の記載と均等な意味及び範囲内での全ての変更を含んでいる。
【００１２】
キートップが跳ね返るときに部位Ｃで発生したクリック音を消すために、キーボード装置２０が図２に示されている。キーボード装置２０は、上部ハウジング２８１と、二つの導電膜２３（二つの膜の間にプラスチックシートの層がある）と、底面２４１及び底面２４１に配置されるアクチュエータ２５（アクチュエータ２５は、図１の中央柱１３の直径よりも大きく、上部ハウジング２８１を貫通する）を含むキートップ２４と、下部ハウジング２８２と、導電膜２３に位置する軟質弾性要素２６と、を備える。軟質弾性要素２６は、キートップ２４が跳ね返るときにキートップ２４が軟質弾性要素２６から分離することを防止するように、キートップ２４と係合する係合部２７を有する。上部ハウジング２８１は、二つの突合わせ柱２１を更に含み、突合わせ柱２１は、二つの頂部２２を停止部として有する。各頂部２２は、停止面２２１を有し、キートップ２４は、係合面２５２を有する付勢部２５１を有する。
【００１３】
アクチュエータ２５は、突合わせ柱２１を貫通する第一中央柱２５であり、キートップ２４が跳ね返ると、キートップ２４が停止部２２に突き当たることはない。軟質弾性要素２６は、シリコーンゴムドーム、ゴム半球等の軟質弾性体であり、係合部２７は上部である。このキーボード装置２０は、薄いキーボードであり、各キーは、短いキー構造２９を有する。図３を参照してください、係合部２７は、高さ（ＨＴ）が５ｍｍの第一凹状円柱３０であり、第一凹状円柱３０は、第一中央柱２５を保持する第一中央凹部３１を有する。第一凹状円柱３０は、テーパ面３３を有する開口部３２を更に含み、開口部３２の断面積は、第一中央柱２５の第一中央凹部３１への挿入を容易にするように、第一凹状円柱３０内のテーパ面３３に沿って減少する。キートップ２４は、底面２４１に配置される二つの突起２４２と、二つの外側部２４３と、二つの側部２４４とを、更に含む。キートップ２４は、突起２４２を介して突合わせ柱２１と係合し、底面２４１は、第一中央柱が位置する凹部２４５を含む。図４を参照してください。頂部２２は、突起２４２と頂部２２との間に少なくとも隙間があるために、０．５ｍｍを減少させることができる厚さ（ＲＤ）を更に有する。頂部２２は、スロット厚さ（ＳＤ）が０．９ｍｍ（図１の頂部１６の厚さは１．４ｍｍ）であり、外側部２４３は、１．５ｍｍの埋め込み深さ（ＥＤ）を有する。勿論、キーボード装置２０は、図５に示すように、従来のキーボード５０と置き換えることもできる。図５におけるキーボード５０は、より大きなシリコーンゴムドーム５１及びより高いキー構造５２を含み、同様に減少した厚さ（ＲＤ）を有する。
【００１４】
図６Ａを参照してください、キートップが押下されるときに部位ＡとＢで発生するクリック音を消すために、キーボード装置２０は、第一底部パッド６０を更に含み、第一底部パッド６０は、突起２４２が下方に移動するときに、突起２４２に付勢するように導電膜２３に位置する。第一底部パッド６０は、厚さが１ｍｍのシリコーンパッドであってもよい。突起２４２は、第一底部パッド６０に接触し、第一底部パッド６０は、約０．３ｍｍで押し下げられる。これにより、側部２４４が頂部２２に接触することを防止し、側部２４４と頂部２２との間に隙間がある。側部２４４が頂部２２に衝突しないので、部位Ｂで音が発生しない。この場合、隙間の距離は０．７ｍｍであり、キートップ２４の降下する長さＤＬは、２．８ｍｍである。図６Ａにおける第一底部パッド６０は、 図６Ｂにおける第二底部パッド６２に変更することができる。第二底部パッド６２は、側部２４４が下に動かされたときに、側部２４４に付勢するように突合わせ柱２１に位置し、部位Ｂにおいて無音効果を得る。第二底部パッド６２は、側部２４４と頂部２２との間の第一距離ＦＤがあることを可能にする。同様に、第二底部パッド６２は、突起２４２が導電膜２３に向かって移動できず、突起２４２と導電膜２３との間に隙間があることを同時に引き起こす。従って、突起２４２は、導電膜２３に当たらず、部位Ａはサイレントである。
【００１５】
図６Ａにおける第一底部パッド６０は、図７に示すように、シリコーンゴムドーム２６から分離してもよく、或いは、他のキーの底部パッドと一体化して底部パッドのためのシート全体を形成してもよい。第一底部パッド６０のシリコーン材料は、エチレンビニルアセテート（ＥＶＡ）であってもよく、これは、クリック音を消す効果も有する。勿論、第一底部パッド６０も、図８に示すようなパターンに変更することができる。図８における第一底部パッド８０は、シリコーンゴムドーム８１と一体化している。
【００１６】
主要技術の別の観点から見れば、本発明のキーボード装置２０は、上部ハウジング２８１と、作動圧力に応じて上部ハウジング２８１に対して垂直方向に移動するキートップ２４と、下部ハウジング２８２と、下部ハウジング２８２に配置され、作動圧力を受け、前記作動圧力が解放された後にキートップ２４が跳ね返るときにキートップ２４を前記垂直方向に上部ハウジング２８１と衝突させないように保持する弾性体と、を備える。
【００１７】
このキーボード装置２０は、導電膜２３を更に含み、キートップ２４は、底面２４１と、底面２４１に配置されるアクチュエータ２５と、を含む。アクチュエータ２５は、上部ハウジング２８１内に垂直方向に移動する。図９Ａを参照してください。キーボード装置９０は、図９Ａに示すように、長時間にわたって突起２４２に衝撃が加わって長時間使用した後に、第一底部パッドにおけるシリコーン材料の疲労及び部位Ａで発生した音を消すために、アクチュエータ２５は、図９Ａにおけるアクチュエータ９２として変更することができる。すなわち、アクチュエータ９２は、垂直方向に作動圧力を発生させる第二凹状円柱９２である。キートップ９１は、上部ハウジング２８１に垂直方向に直接衝突することはなく、弾性体９３は、半球体９４と、半球体９４の頂部に接続される第二中央柱９５２と、を含む。第二凹状円柱９２は、第二中央柱９５２を保持する第二中央凹部９２２を有する。図９Ｂを参照してください。第二凹状円柱９２が弾性体９３を押下すると、弾性体９３の二つのシリコーン層９７、９８によって提供されるバッファも、部位Ａで無音効果を達成することができ、第一底部パッド６０を省略することができる。
【００１８】
図１０を参照してください。図１０は、キーボード装置１０１のキートップ９１が底面２４１と、底面２４１に配置される第二凹状円柱９２であるアクチュエータ９２とを含むことを示す。キートップ９１は、底面２４１に配置される突起２４２を含む。キーボード装置１０１は、第一底部パッド６０及び導電膜２３を更に含む。第一底部パッド６０は、キートップ９１が押下されたときに、突起２４２に付勢するように導電膜２３に位置する。従って、第一底部パッド６０は、使用者の押圧力の一部を分担し、弾性体９３の負担を軽減することができる。
【００１９】
さらなる観点によれば、本発明は、上部ハウジング２８１及び下部ハウジング２８２を有するキーボード装置２０を包含する。キーボード装置２０は、キーボード装置２０内に垂直に摺動可能に配置されるキートップ２４と、キートップ２４が外力から除去された後にキートップ２４が跳ね返るときに、キートップ２４を上部ハウジング２８１及び下部ハウジング２８２のいずれかに接触させないように保持する弾性体２６と、を備える。勿論、上部ハウジング２８１は、停止面２２１を有し、弾性体２６は、保持構造（すなわちより高い部２７）及び弾性構造（すなわちシリコーンゴムドーム）を含む。キートップ２４は、第一中央柱２５及び突起２５１を有し、上側ハウジング２８１は、停止部（すなわち頂部２２）を有し、突起２５１は、係合面２５２を有する。係合面２５２と停止面２２１との間には、第二距離ＤＴがある。弾性体２６は、キートップ２４が跳ね返るときに、第二距離ＤＴがゼロより大きくなるように第一中央柱２５を保持する。停止部２２の高さは、規則的な高さ（１．４ｍｍ）よりも短くてもよい。キーボード装置２０は、コンピュータキーボード又は電話キーボードである。弾性体２６が第一中央柱２５から引き戻す深さは、第二距離の高さを決定するために使用される。この第二距離ＤＴも、第一中央柱２５の長さ及びシリコーンゴムドームの高さに関連している。
【００２０】
本発明は、上部ハウジング２８１及び下部ハウジング２８２を有するキーボード装置２０であってもよく、キーボード装置２０は、突合わせ柱２１と、キートップ２４と、弾性体２６（すなわち、シリコーンゴムドーム）とを含む。突合わせ柱２１は、上部ハウジング２８１に配置され、上部ハウジング２８１は、二つの停止部（すなわち、頂部２２）を上に有する。キートップ２４は、底面２４１と、底面２４１から延びる第一中央柱２５と、二つの突起２４２と、を含み、突起２４２は、キートップ２４が上部ハウジング２８１を離れることを防止するために停止部と係合する。弾性体２６は、弾性ベース（符号２６によって表示される断面で示す）と、第一底部パッド６０と、前記弾性ベースに接続される頂部延在部（すなわち、頂部２７）とを含み、前記頂部延在部は、キートップ２４が外力から除去された後にキートップ２４が跳ね返るときに突起２４２が停止部に接触することを防止するために、第一中央柱２５を保持する。突起２４２と下部ハウジング２８２は、第一底部パッド６０によって分離されているため、下部ハウジング２８２に突起２４２を突き当てることによるクリック音が消される。
【００２１】
本発明は、上部ハウジング２８１及び下部ハウジング２８２を有するキーボード装置２０であってもよく、キーボード装置２０は、突合わせ柱２１と、キートップ２４と、弾性体２６（すなわち、シリコーンゴムドーム）とを含む。突合わせ柱２１は、上部ハウジング２８１に配置され、上部ハウジング２８１は、二つの停止部（すなわち、頂部２２）を上に有する。キートップ２４は、底面２４１と、底面２４１から延びる第一中央柱２５と、二つの突起２４２と、を含み、突起２４２は、キートップ２４が上部ハウジング２８１を離れることを防止するために停止部と係合する。弾性体２６は、弾性ベース（符号２６によって表示される断面で示す）と、第一底部パッド６０と、前記弾性ベースに接続される頂部延在部（すなわち、頂部２７）とを含み、前記頂部延在部は、キートップ２４が外力から除去された後にキートップ２４が跳ね返るときに突起２４２が停止部に接触することを防止するために、第一中央柱２５を保持する。突起２４２が下部ハウジング２８２に接触すると、底面２４１が停止部に接触することがなく、底面２４１が停止部に当たるときのクリック音が消される。
【００２２】
本発明は、上部ハウジング２８１及び下部ハウジング２８２を有するキーボード装置２０であってもよく、キーボード装置２０は、突合わせ柱２１と、キートップ２４と、弾性体２６（すなわち、シリコーンゴムドーム）とを含む。突合わせ柱２１は、上部ハウジング２８１に配置され、上部ハウジング２８１は、二つの停止部（すなわち、頂部２２）を上に有する。キートップ２４は、凹部２４５を含み、第一中央柱２５及び突起２４２は、凹部２４５に配置される。突起２４２は、キートップ２４が上部ハウジング２８１を離れることを防止するために停止部と係合する。弾性体２６は、弾性ベース（符号２６によって表示される断面で示す）と、第一底部パッド６０と、前記弾性ベースに接続される頂部延在部（すなわち、頂部２７）とを含み、前記頂部延在部は、キートップ２４が外力から除去された後にキートップ２４が跳ね返るときに突起２４２が停止部に接触することを防止するために、第一中央柱２５を保持する。
【００２３】
以上の説明によると、当業者であれば本発明の技術思想を逸脱しない範囲で、多様な変更及び修正が可能であることが分かる。従って、本発明の技術的な範囲は、明細書の詳細な説明に記載された内容に限らず、特許請求の範囲によって定めなければならない。
【実施例】
【００２４】
１、キーボード装置は、上部ハウジングと、導電膜と、底面と、前記底面に配置されるアクチュエータとを含むキートップであって、前記アクチュエータは、前記上部ハウジングを貫通する前記キートップと、下部ハウジングと、前記導電膜に位置する軟質弾性要素であって、前記軟質弾性要素は、前記キートップが跳ね返るときに、前記キートップが前記軟質弾性部材から分離しないように、前記キートップに係合する係合部を有する前記軟質弾性要素と、を備える。
【００２５】
２、実施例１に係るキーボード装置において、前記上部ハウジングは、突合わせ柱を更に含み、前記突合わせ柱は、頂部を停止部として有し、前記停止部は、前記キートップが跳ね返るときに前記キートップに当たらない。
【００２６】
３、実施例１と２のいずれかに係るキーボード装置において、前記アクチュエータは、前記突合せ柱を貫通する中央柱である。
【００２７】
４、実施例１−３のいずれかに係るキーボード装置において、前記キーボード装置は、従来のキーボード及び薄いキーボードのうちの一つであり、前記底面は、凹部を含み、前記凹部には、前記中央柱が位置する。
【００２８】
５、実施例１−４のいずれかに係るキーボード装置において、前記軟質弾性要素は、シリコーンゴムドームとゴム半球のうちの一つであり、前記係合部は、凹状の円柱であり、前記凹状の円柱は、前記中央柱を保持するための中央凹部を有する。
【００２９】
６、実施例１−５のいずれかに係るキーボード装置において、前記軟質弾性要素は、シリコーンゴムドームとゴム半球のうちの一つであり、前記係合部は、凹状の円柱であり、前記凹状の円柱は、前記中央柱を保持するための中央凹部を有する。
【００３０】
７、実施例１−６のいずれかに係るキーボード装置において、前記キートップは、前記底面に配置される突起を更に含み、前記突起は、前記キートップが跳ね返るときに前記頂部と係合することができない係合部を有する。
【００３１】
８、実施例１−７のいずれかに係るキーボード装置において、前記キートップが押圧されるときに、前記突起に付勢し、前記底面が前記頂部に対して衝突しないように、前記導電膜に位置する第一底部パッドを更に備える。
【００３２】
９、実施例１−８のいずれかに係るキーボード装置において、前記第一底部パッドは、シリコーンパッドとエチレン酢酸ビニル（ＥＶＡ）パッドのうちの一つであり、前記第一底部パッドは、前記シリコーンゴムドームから分離された状態、及び、前記シリコーンゴムドームと一体化された状態のうちの一つに提供される。
【００３３】
１０、実施例１−９のいずれかに係るキーボード装置は、前記底面と前記頂部との間のクッションとして機能するように、前記突合わせ柱に位置する第二底部パッドを更に備える。
【００３４】
１１、キーボード装置は、上部ハウジングと、作動圧力に応じて前記上部ハウジングに対して垂直方向に移動するキートップと、下部ハウジングと、下部ハウジングに配置され、前記作動圧力を受け、前記作動圧力が解放された後に前記キートップが跳ね返るときに前記キートップを前記垂直方向に前記上部ハウジングと衝突させないように保持する弾性体と、を備える。
【００３５】
１２、実施例１１に係るキーボード装置において、前記キートップは、底面と、前記底面に配置されるアクチュエータと、前記底面に配置される突起と、を備え、前記アクチュエータは、凹状の円柱である。
【００３６】
１３、実施例１１と１２のいずれかに係るキーボード装置は、底面パッドと導電膜とを更に備え、前記底面パッドは、前記キートップが押下されるときに前記突起に付勢するように、前記導電膜に位置する。
【００３７】
１４、実施例１１−１３のいずれかに係るキーボード装置は、導電膜を更に備え、前記キートップは、底面と、前記底面に配置されるアクチュエータとを備え、前記アクチュエータは、前記上部ハウジング内に垂直移動し、前記垂直方向の前記作動圧力を発生させる凹状の円柱であり、前記弾性体は、半球と、前記半球の頂部に接続される中央柱と、を含み、前記凹状の円柱は、前記中央柱を保持するための中央凹部を有する。
【００３８】
１５、キーボード装置は、上部ハウジングと下部ハウジングとを有するキーボード装置であって、前記キーボード装置内に垂直に摺動可能に配置されるキートップと、前記キートップが外力から除去された後に前記キートップが跳ね返るときに、前記キートップを前記上部ハウジング及び前記下部ハウジングのいずれかに接触させないように保持する弾性体と、を備える。
【００３９】
１６、実施例１５に係るキーボード装置において、前記上部ハウジングは、停止面を有する停止部を有し、前記キートップは、中央柱と、係合面を有する突起と、を有し、前記キートップが跳ね返るときに前記係合面との間の距離がゼロよりも大きい。
【００４０】
１７、実施例１５と１６のいずれかに係るキーボード装置において、前記弾性体は、保持構造と、弾性構造と、を含む。
【００４１】
１８、実施例１５−１７のいずれかに係るキーボード装置において、前記保持構造及び前記中央柱は、どの程度の距離がゼロよりも大きいかを決定するために使用される係合を有する。
【００４２】
１９、実施例１５−１８のいずれかに係るキーボード装置において、前記弾性体は、シリコーンゴムドームとゴム半球の一つの構造である。
【００４３】
２０、実施例１５−１９のいずれかに係るキーボード装置において、前記キーボード装置は、コンピュータキーボードと電話キーボードのうちの一つである。
【符号の説明】
【００４４】
１０、５０    キーボード
１１、２４、９１    キートップ
１２、２１    突合わせ柱
１３    中央柱
１４、２４２    突起
１５、２４４    側部
１６、２２、２７    頂部
１７    底部
１８、８１    シリコーンゴムドーム
１９    外側部
２０、１０１    キーボード装置
２３    導電膜
２５    アクチュエータ（第一中央柱）
２６    軟質弾性要素（シリコーンゴムドーム、弾性体）
２７    係合部
３０    第一凹状円柱
３１    第一中央凹部
３２    開口部
３３    テーパ面
６０、８０    第一底部パッド
６２    第二底部パッド
９２    アクチュエータ（第二凹状円柱）
９３    弾性体
９４    半球体
１０１    キーボード面
１６１    付勢面
１６２、２２１    停止面
１７１    導電膜
２４１    底面
２４３    外側部
２４５    凹部
２５１    付勢部
２５２    係合面
２８１    上部ハウジング
２８２    下部ハウジング
９２２    第二中央凹部
９５２    第二中央柱
ＤＬ    長さ
ＤＰ    高さ/厚さ
ＥＤ    埋め込み深さ
ＦＤ    第一距離
ＤＴ    第二距離
ＨＴ    高さ
ＲＤ    減少した厚さ
ＳＤ    スロット厚さ
【図１】
0006454666.tif 000002
【図２】
0006454666.tif 000003
【図３】
0006454666.tif 000004
【図４】
0006454666.tif 000005
【図５】
0006454666.tif 000006
【図６Ａ】
0006454666.tif 000007
【図６Ｂ】
0006454666.tif 000008
【図７】
0006454666.tif 000009
【図８】
0006454666.tif 000010
【図９Ａ】
0006454666.tif 000011
【図９Ｂ】
0006454666.tif 000012
【図１０】
0006454666.tif 000013